(57)【要約】【課題】  列車等の交通機関における忘れ物の探索を支援する忘れ物探索支援システムにおいて、乗客が忘れ物をした列車等を特定できるようにする。【解決手段】  列車内の各ドアの上方には、RFID書込装置20が取り付けられている。このRFID書込装置20は、それが取り付けられている車両の車両番号，ドア番号，列車番号，行き先などを含む忘れ物探索支援情報を一定時間毎に送信している。乗客が、RFIDタグを携帯してRFID書込装置20が取り付けられている車両に乗車すると、RFID書込装置20から送信されている忘れ物探索支援情報がRFIDタグに書き込まれる。従って、乗客が列車内に忘れ物をしたとしても、RFIDタグ中の忘れ物探索支援情報を読み出すことにより、忘れ物をした列車を特定することができる。また、RFIDタグに自動的に忘れ物探索支援情報が書き込まれるため、乗客には負担がかからない。【選択図】      図２
2005216048.tif 000002
【特許請求の範囲】
【請求項１】
交通機関の車両に取り付けられ、一定時間毎に前記車両の車両番号を含んだ忘れ物探索支援情報を送信するＲＦＩＤ書込装置と、
該ＲＦＩＤ書込装置から送信された忘れ物探索支援情報を受信したとき、該受信した忘れ物探索支援情報を記憶するＲＦＩＤタグとを含むことを特徴とする忘れ物探索支援システム。
【請求項２】
請求項１記載の忘れ物探索支援システムにおいて、
前記ＲＦＩＤ書込装置が、
前記車両番号が登録された車両情報記憶部と、
該車両情報記憶部に登録されている車両番号を含んだ忘れ物探索支援情報を一定時間毎に送信する送信手段とを備えたことを特徴とする忘れ物探索支援システム。
【請求項３】
請求項２記載の忘れ物探索支援システムにおいて、
前記ＲＦＩＤ書込装置が、
列車情報記憶部と、
外部から送られてくる、列車番号及び行き先を前記列車情報記憶部に書き込む書き込み手段とを備え、且つ、
前記送信手段が、
前記車両情報記憶部に登録されている車両番号と、前記列車情報記憶部に登録されている列車番号及び行き先とを含む忘れ物探索支援情報を送信する構成を有することを特徴とする忘れ物探索支援システム。
【請求項４】
請求項１記載の忘れ物探索支援システムにおいて、
前記ＲＦＩＤタグが、
忘れ物探索支援情報を記憶する複数の領域を有する忘れ物探索支援情報記憶部と、
受信した忘れ物探索支援情報と、前記忘れ物探索支援情報記憶部に前回書き込んだ忘れ物探索支援情報とが不一致の場合、前記受信した忘れ物探索支援情報を前記忘れ物探索支援情報記憶部に追記する書き込み手段とを備えたことを特徴とする忘れ物探索支援システム。
【請求項５】
交通機関の車両に取り付けられる、前記車両の車両番号を含む忘れ物探索支援情報が登録されたＲＦＩＤタグと、
ＲＦＩＤタグに登録されている忘れ物探索支援情報の読み取り処理を一定時間毎に行い、忘れ物探索支援情報を読み取ることができた場合、読み取った忘れ物探索支援情報を記憶するＲＦＩＤ読取記憶装置とを含むことを特徴とする忘れ物探索支援システム。
【請求項６】
請求項５記載の忘れ物探索支援システムにおいて、
前記ＲＦＩＤ読取記憶装置が、
忘れ物探索支援情報を記憶する複数の領域を有する忘れ物探索支援情報記憶部と、
ＲＦＩＤタグに登録されている忘れ物探索支援情報の読み取り処理を一定時間毎に行う受信手段と、
前記受信手段で忘れ物探索支援情報を読み取ることができた場合、該読み取った忘れ物探索支援情報と、前記忘れ物探索支援情報記憶部に前回書き込んだ忘れ物探索支援情報とが一致するか否かを判定する比較手段と、
該比較手段で不一致と判定された場合、前記読み取った忘れ物探索支援情報を前記忘れ物探索支援情報記憶部に追記する書き込み手段とを備えたことを特徴とする忘れ物探索支援システム。
【請求項７】
交通機関の車両に取り付けられるＲＦＩＤ書込装置であって、一定時間毎に前記車両の車両番号を含んだ忘れ物探索支援情報を、ＲＦＩＤタグに書き込むために送信する構成を有することを特徴とするＲＦＩＤ書込装置。
【請求項８】
請求項７記載のＲＦＩＤ書込装置から送信される忘れ物探索支援情報を受信した時、該受信した忘れ物探索支援情報を記憶する構成を有することを特徴とするＲＦＩＤタグ。
【請求項９】
交通機関の車両に取り付けられるＲＦＩＤタグであって、前記車両の車両番号を含む忘れ物探索支援情報が登録されたことを特徴とするＲＦＩＤタグ。
【請求項１０】
ＲＦＩＤタグに対する読み取り処理を一定時間毎に行うＲＦＩＤ読取記憶装置であって、請求項９記載のＲＦＩＤタグから忘れ物探索支援情報を読み取った時、該読み取った忘れ物探索支援情報を記憶する構成を有することを特徴とするＲＦＩＤ読取記憶装置。
【請求項１１】
交通機関の車両に取り付けられたＲＦＩＤ書込装置が、一定時間毎に前記車両の車両番号を含んだ忘れ物探索支援情報を送信し、
ＲＦＩＤタグが、前記ＲＦＩＤ書込装置から送信された忘れ物探索支援情報を受信したとき、該受信した忘れ物探索支援情報を記憶することを特徴とする忘れ物探索支援方法。
【請求項１２】
交通機関の車両に、該車両の車両番号を含む忘れ物探索支援情報が登録されたＲＦＩＤタグを取り付け、
ＲＦＩＤ読取記憶装置が、ＲＦＩＤタグに登録されている忘れ物探索支援情報の読み取り処理を一定時間毎に行い、忘れ物探索支援情報を読み取ることができた場合、読み取った忘れ物探索支援情報を記憶することを特徴とする忘れ物探索支援方法。
【発明の詳細な説明】
【技術分野】
【０００１】
本発明は、列車，タクシーなどの交通機関における忘れ物の探索を支援する忘れ物探索支援技術に関し、特に、乗客が忘れ物をした車両を確実に特定できるようにすることにより、忘れ物の探索を容易に行えるようにした忘れ物探索支援技術に関する。
【背景技術】
【０００２】
列車，タクシー，バスなどの交通機関の乗客が車内に置き忘れた忘れ物を探索する場合、忘れ物をした車両を特定する必要があり、従来は、一般に、乗客の記憶力に頼って車両を特定するようにしていた。このため、例えば、列車において忘れ物をした乗客が正確に忘れ物をした列車や乗車位置を覚えていない場合は、複数の列車を探索したり、列車の先頭から最後尾までを探索しなければならず、忘れ物の探索に多くの労力を要した。また、タクシーにおいて忘れ物をした乗客が、タクシー会社などを記憶していない場合には、忘れ物の探索が非常に困難なものになってしまう。
【０００３】
そこで、忘れ物の探索を容易にするため、従来、次のような技術が提案された（例えば、特許文献１参照）。この従来の技術は、タクシーの乗客がＩＣカードを用いて料金支払いを行う際に、タクシーに設置してある読み書き装置を用いて、ＩＣカードに利用情報（日時，会社名，車両ナンバ等）を書き込むというものである。このように、ＩＣカードに利用情報を書き込んでおくことにより、乗客がタクシー会社などを忘れていたとしても、ＩＣカードの記憶内容に基づいて忘れものをしたタクシーを特定することが可能になる。
【０００４】
また、交通機関における忘れ物の探索支援技術ではないが、物品の所在を確認する技術として次のような技術が従来から知られている（例えば、特許文献２参照）。この特許文献２に記載されている技術は、重要な廃棄物等の容器一つ一つにＲＦＩＤ（ｒａｄｉｏ  ｆｒｅｑｕｅｎｃｙ  ｉｄｅｎｔｉｆｉｅｒ）タグを取り付けることにより、対象物の消失，盗難をリアルタイムで検出できるようにすると共に、所在確認結果を在庫履歴として利用できるようにしている。
【特許文献１】特開平１０−３１２４８５号公報
【特許文献２】特開２００２−２１６０８６号公報
【発明の開示】
【発明が解決しようとする課題】
【０００５】
上述した特許文献１に記載されている従来の技術は、ＩＣカードに利用情報を書き込む際、人手が必要になるという問題がある。即ち、乗客がポケット等からＩＣカードを取り出して運転者に渡し、運転者が読み書き装置を用いてＩＣカードに利用情報を書き込むという作業が必要になり操作性が悪い。また、この特許文献１に記載されている従来の技術は、上述したような手作業が必要になるため、多数の乗客が乗降する列車に適用することが困難であるという問題もある。
【０００６】
また、上述した特許文献２に記載されている従来の技術は、予め定められている管理範囲内において、物品の所在を確認するための技術であり、交通機関における忘れ物の探索支援には適用することができない。
【０００７】
〔発明の目的〕
そこで、本発明の目的は、乗客が何ら特別な作業を行うことなく、乗車した車両に関する情報を、乗客が所持する機器に記憶できるようにすることにある。
【課題を解決するための手段】
【０００８】
本発明にかかる第１の忘れ物探索支援システムは、上記目的を達成するため、
交通機関の車両に取り付けられ、一定時間毎に前記車両の車両番号を含んだ忘れ物探索支援情報を送信するＲＦＩＤ書込装置と、
該ＲＦＩＤ書込装置から送信された忘れ物探索支援情報を受信したとき、該受信した忘れ物探索支援情報を記憶するＲＦＩＤタグとを含むことを特徴とする。
【０００９】
より具体的には、本発明にかかる第２の忘れ物探索支援システムは、第１の忘れ物探索支援システムにおいて、
前記ＲＦＩＤ書込装置が、
前記車両番号が登録された車両情報記憶部と、
該車両情報記憶部に登録されている車両番号を含んだ忘れ物探索支援情報を一定時間毎に送信する送信手段とを備えたことを特徴とする。
【００１０】
また、本発明にかかる第３の忘れ物探索支援システムは、忘れ物探索支援情報に、随時変更される列車番号や行き先も含められるようにするため、第２の忘れ物探索支援システムにおいて、
前記ＲＦＩＤ書込装置が、
列車情報記憶部と、
外部から送られてくる、列車番号及び行き先を前記列車情報記憶部に書き込む書き込み手段とを備え、且つ、
前記送信手段が、
前記車両情報記憶部に登録されている車両番号と、前記列車情報記憶部に登録されている列車番号及び行き先とを含む忘れ物探索支援情報を送信する構成を有することを特徴とする。
【００１１】
本発明にかかる第４の忘れ物探索支援システムは、列車，バス等の乗り継ぎ時に忘れ物をした場合であっても、忘れ物をした車両を絞り込めるようにするため、第１の忘れ物探索支援システムにおいて、
前記ＲＦＩＤタグが、
忘れ物探索支援情報を記憶する複数の領域を有する忘れ物探索支援情報記憶部と、
受信した忘れ物探索支援情報と、前記忘れ物探索支援情報記憶部に前回書き込んだ忘れ物探索支援情報とが不一致の場合、前記受信した忘れ物探索支援情報を前記忘れ物探索支援情報記憶部に追記する書き込み手段とを備えたことを特徴とする。
【００１２】
本発明にかかる第５の忘れ物探索支援システムは、乗客が何ら特別な作業を行うことなく、車両番号などを含んだ忘れ物探索支援情報を、乗客が所持するＲＦＩＤ読取記憶装置に記憶できるようにするため、
交通機関の車両に取り付けられる、前記車両の車両番号を含む忘れ物探索支援情報が登録されたＲＦＩＤタグと、
ＲＦＩＤタグに登録されている忘れ物探索支援情報の読み取り処理を一定時間毎に行い、忘れ物探索支援情報を読み取ることができた場合、読み取った忘れ物探索支援情報を記憶するＲＦＩＤ読取記憶装置とを含むことを特徴とする。
【００１３】
本発明にかかる第６の忘れ物探索支援システムは、列車，バス等の乗り継ぎ時に忘れ物をした場合であっても、忘れ物をした車両を絞り込めるようにするため、第５の忘れ物探索支援システムにおいて、
前記ＲＦＩＤ読取記憶装置が、
忘れ物探索支援情報を記憶する複数の領域を有する忘れ物探索支援情報記憶部と、
ＲＦＩＤタグに登録されている忘れ物探索支援情報の読み取り処理を一定時間毎に行う受信手段と、
前記受信手段で忘れ物探索支援情報を読み取ることができた場合、該読み取った忘れ物探索支援情報と、前記忘れ物探索支援情報記憶部に前回書き込んだ忘れ物探索支援情報とが一致するか否かを判定する比較手段と、
該比較手段で不一致と判定された場合、前記読み取った忘れ物探索支援情報を前記忘れ物探索支援情報記憶部に追記する書き込み手段とを備えたことを特徴とする。
【００１４】
本発明にかかるＲＦＩＤ書込装置は、乗客が何ら特別な作業を行うことなく、忘れ物探索支援情報を乗客が所持するＲＦＩＤタグに記憶できるようにするため、
交通機関の車両に取り付けられるＲＦＩＤ書込装置であって、一定時間毎に前記車両の車両番号を含んだ忘れ物探索支援情報を、ＲＦＩＤタグに書き込むために送信する構成を有することを特徴とする。
【００１５】
本発明にかかる第１のＲＦＩＤタグは、乗客が何ら特別な作業を行うことなく、忘れ物探索支援情報を乗客が所持するＲＦＩＤ読取記憶装置に記憶できるようにするため、
上記したＲＦＩＤ書込装置から送信される忘れ物探索支援情報を受信した時、該受信した忘れ物探索支援情報を記憶する構成を有することを特徴とする。
【００１６】
本発明にかかる第２のＲＦＩＤタグは、乗客が何ら特別な作業を行うことなく、忘れ物探索支援情報を乗客が所持するＲＦＩＤ読取記憶装置に記憶できるようにするため、
交通機関の車両に取り付けられるＲＦＩＤタグであって、前記車両の車両番号を含む忘れ物探索支援情報が登録されたことを特徴とする。
【００１７】
本発明にかかるＲＦＩＤ読取記憶装置は、乗客が何ら特別な作業を行うことなく、忘れ物探索支援情報を乗客が所持するＲＦＩＤ読取記憶装置に記憶できるようにするため、
ＲＦＩＤタグに対する読み取り処理を一定時間毎に行うＲＦＩＤ読取記憶装置であって、上記第２のＲＦＩＤタグから忘れ物探索支援情報を読み取った時、該読み取った忘れ物探索支援情報を記憶する構成を有することを特徴とする。
【００１８】
本発明にかかる第１の忘れ物探索支援方法は、乗客が何ら特別な作業を行うことなく、忘れ物探索支援情報を乗客が所持するＲＦＩＤ読取記憶装置に記憶できるようにするため、
交通機関の車両に取り付けられたＲＦＩＤ書込装置が、一定時間毎に前記車両の車両番号を含んだ忘れ物探索支援情報を送信し、
ＲＦＩＤタグが、前記ＲＦＩＤ書込装置から送信された忘れ物探索支援情報を受信したとき、該受信した忘れ物探索支援情報を記憶することを特徴とする。
【００１９】
本発明にかかる第２の忘れ物探索支援方法は、乗客が何ら特別な作業を行うことなく、忘れ物探索支援情報を乗客が所持するＲＦＩＤ読取記憶装置に記憶できるようにするため、
交通機関の車両に、該車両の車両番号を含む忘れ物探索支援情報が登録されたＲＦＩＤタグを取り付け、
ＲＦＩＤ読取記憶装置が、ＲＦＩＤタグに登録されている忘れ物探索支援情報の読み取り処理を一定時間毎に行い、忘れ物探索支援情報を読み取ることができた場合、読み取った忘れ物探索支援情報を記憶することを特徴とする。
【発明の効果】
【００２０】
本発明にかかる第１，第２忘れ物探索支援システム、ＲＦＩＤ書込装置、第１のＲＦＩＤタグ及び第１の忘れ物探索支援方法によれば、乗客が何ら特別な作業を行うことなく、忘れ物探索支援情報を乗客が所持するＲＦＩＤタグに格納することが可能になる。その理由は、所定周期で車両番号を含んだ忘れ物探索支援情報を送信するＲＦＩＤ書込装置を車両に取付けるようにしているからである。また、忘れ物探索支援情報の書き込み処理に人手が全く必要ないので、乗降する乗客数が多い列車やバスなどにも適用することが可能である。
【００２１】
本発明にかかる第５の忘れ物探索支援システム、第２のＲＦＩＤタグ、ＲＦＩＤ読取記憶装置および第２の忘れ物探索支援によれば、乗客が何ら特別な作業を行うことなく、忘れ物探索支援情報を乗客が所持するＲＦＩＤ読取記憶装置に格納することができる。その理由は、車両に車両番号を含んだ忘れ物探索支援情報を登録したＲＦＩＤタグを取り付け、乗客が所定周期でＲＦＩＤタグの読取処理を行うＲＦＩＤ読取記憶装置を所持しているからである。
【００２２】
本発明にかかる第３の忘れ物探索支援システムによれば、随時変更される列車番号や行き先も忘れ物探索支援情報に含めることが可能にある。その理由は、ＲＦＩＤ書込装置が、外部から送られてきた列車番号や行き先を列車情報記憶部に登録する書き込み手段を有しているからである。
【００２３】
本発明にかかる第４及び第６の忘れ物探索支援システムによれば、乗り換えを行った場合も、忘れ物をした車両を絞り込むことが可能になる。その理由は、忘れ物探索支援情報が格納される領域を複数有する忘れ物探索支援情報記憶部を備えているからである。
【発明を実施するための最良の形態】
【００２４】
次に本発明の実施の形態について図面を参照して詳細に説明する。
【００２５】
〔第１の実施の形態〕
先ず、図１，図２を参照して本発明にかかる忘れ物探索支援システムの第１の実施の形態の概要について説明する。
【００２６】
図１に示すように、忘れ物探索支援システムを利用する乗客１１は、読み書き可能なＲＦＩＤタグ１０を所持している。また、乗客１１が利用する列車の各ドアの上部には、図２に示すように、指向性を有するＲＦＩＤ書込装置２０が取り付けられている。
【００２７】
ＲＦＩＤ書込装置２０は、一定時間毎（最短乗車時間よりも短い時間であり、例えば３０秒程度）に、それが取り付けられている車両の車両番号、列車番号、ドア番号、行き先などを含んだ忘れ物探索支援情報を送信している。ＲＦＩＤタグ１０を携帯した乗客１１が列車に乗車すると、ＲＦＩＤタグ１０は、近傍のＲＦＩＤ書込装置２０から送信されている忘れ物探索支援情報を受信し、それを内部に記憶する。
【００２８】
乗客１１は、乗車後、手荷物を、網棚２１、椅子２２或いは床２３に置く。目的地に着くと、乗客１１は列車から降りる。その際、手荷物を置き忘れたとする。乗客１１は、忘れ物をしたことに気付くと、ＲＦＩＤタグ１０を持って、駅員室を訪ねて降車時に忘れ物をしたことを申告する。駅員は乗客１１からＲＦＩＤタグ１０を預かって駅員室に常備されているＲＦＩＤ読取装置（図示せず）でＲＦＩＤタグ１０の記憶内容（忘れ物探索支援情報）を読み取る。これにより、正確な列車番号，行き先，車両番号およびドア番号が得られるので、駅員は、得られた情報を基に当該の列車の次の停車駅に探索依頼を行う。探索依頼を受託した駅の駅員は、目標となる列車の車両のドアの前で列車の到着を待機し、到着次第ドア周辺の車内の網棚２１，椅子２２，床２３などを探索し、発見したら保管する。以上が、本実施の形態の概要である。
【００２９】
以下、本実施の形態について詳細に説明する。
【００３０】
図３はＲＦＩＤタグ１０の構成例を示すブロック図であり、忘れ物探索支援情報記憶部１０１と、受信手段１０２と、比較手段１０３と、書き込み手段１０４と、書き込み位置保持部１０５とを備えている。
【００３１】
忘れ物探索支援情報記憶部１０１は、忘れ物探索支援情報を格納する複数の領域＃１〜＃ｎを備えている。書き込み位置保持部１０５には、忘れ物探索支援情報を書き込む領域の領域番号が登録されている。
【００３２】
受信手段１０２は、ＲＦＩＤ書込装置２０が送信する忘れ物探索支援情報を受信し、比較手段１０３に渡す機能を有する。
【００３３】
比較手段１０３は、受信手段１０２から渡された忘れ物探索支援情報と、前回忘れ物探索支援情報記憶部１０１に書き込んだ忘れ物探索支援情報とを比較し、比較不一致の場合は、受信手段１０２からの忘れ物探索支援情報を書き込み手段１０４に渡し、比較一致の場合は、受信手段１０２からの忘れ物探索支援情報を破棄する機能を有する。
【００３４】
書き込み手段１０４は、比較手段１０３から渡された忘れ物探索支援情報を、忘れ物探索支援情報記憶部１０１に格納する機能を有する。その際、書き込み位置保持部１０５に保持されている領域番号の領域に忘れ物探索支援情報を書き込む。また、書き込みが完了すると、書き込み位置保持部１０５に保持されている領域番号を＋１する（但し、領域番号が＃ｎの場合は、領域番号を＃１とする）。
【００３５】
図４はＲＦＩＤ書込装置２０の構成例を示すブロック図であり、受信手段２０１と、列車情報記憶部２０２と、車両情報記憶部２０３と、送信手段２０４とを備えている。また、ＲＦＩＤ書込装置２０は、車掌室などに設置されている操作部３０と接続されている。車掌などの乗務員は、列車番号，行き先などを変更することが必要になった場合、操作部３０を操作し、列車の各ドアの情報に設けられているＲＦＩＤ書込装置２０へ列車情報（列車番号，行き先などを含む）を送信する。
【００３６】
受信手段２０１は、操作部３０から列車情報を受信すると、それを列車情報記憶部２０２に書き込む（上書き）機能を有する。
【００３７】
車両情報記憶部２０３には、ＲＦＩＤ書込装置２０が取り付けられている車両の車両番号やドア番号を含む車両情報が格納されている。
【００３８】
送信手段２０４は、列車情報記憶部２０２に格納されている列車情報および車両情報記憶部２０３に格納されている車両情報を含んだ忘れ物探索支援情報を送信する機能を有する。
【００３９】
次に本実施の形態の動作について説明する。
【００４０】
ＲＦＩＤ書込装置２０内の送信手段２０４は、図５のフローチャートに示すように、列車情報記憶部２０２に格納されている列車情報および車両情報記憶部２０３に格納されている車両情報を入力すると、列車情報および車両情報を含んだ忘れ物探索支援情報を、ドアを通過し車両内に入った乗客１１のＲＦＩＤタグにおいて受信可能な方向に向けて送信する（ステップＳ５１，Ｓ５２）。その後、送受信手段２０４は、一定時間が経過するのを待ち（ステップＳ５３）、再び、ステップＳ５１の処理を行う。従って、ＲＦＩＤ書込装置２０からは、一定時間毎に、忘れ物探索支援情報が送信されることになる。
【００４１】
一方、列車（例えば、列車ＴＡ）に乗車した乗客１１が所持しているＲＦＩＤタグ１０内の受信手段１０２は、ＲＦＩＤ書込装置２０が送信している忘れ物探索支援情報を受信すると、それを比較手段１０３に渡す。比較手段１０３は、受信手段１０２から忘れ物探索支援情報が渡されると、それと前回忘れ物探索支援情報記憶部１０１に書き込んだ忘れ物探索支援情報とを比較する（図６，ステップＳ６１）。なお、前回書き込んだ忘れ物探索支援情報は、書き込み位置保持部１０５に保持されている領域番号に基づいて特定することができる。つまり、書き込み位置保持部１０５に保持されている領域番号よりも１つ小さい領域番号の領域に格納されている忘れ物探索支援情報が、前回書き込んだ忘れ物探索支援情報となる。
【００４２】
そして、両者が一致する場合（ステップＳ６２がＹＥＳ）は、比較手段１０３は処理終了となる。これに対して、両者が不一致の場合（ステップＳ６２がＮＯ）は、書き込み手段１０４に今回受信した忘れ物探索支援情報を渡す。これにより、書き込み手段１０４は、比較手段１０３から渡された忘れ物探索支援情報を、忘れ物探索支援情報記憶部１０１の各領域＃１〜＃ｎの内の、書き込み位置保持部１０５が保持している領域番号（ｊとする）によって示される領域＃ｊに書き込む。また、忘れ物探索支援情報の書き込みが完了すると、書き込み手段１０４は、書き込み位置保持部１０５に保持されている領域番号を更新する（ステップＳ６３）。以上の処理により、乗客１１が今回乗車した列車ＴＡに関する忘れ物探索支援情報（車両番号，ドア番号，列車番号，行き先などを含む）が、ＲＦＩＤタグ１０の領域＃ｊに格納される。
【００４３】
その後、乗客１１が列車ＴＡを降り、列車ＴＢに乗車すると、前述した処理と同様の処理が行われ、列車ＴＢに関する忘れ物探索支援情報がＲＦＩＤタグ１０の領域＃（ｊ＋１）に格納される。
【００４４】
乗客１１は、列車ＴＢから下りた後、忘れ物をしたことに気付くと、ＲＦＩＤタグ１０を持って、駅員室を訪ねて降車時に忘れ物をしたことを申告する。駅員は乗客１１からＲＦＩＤタグ１０を預かって駅員室に常備されているＲＦＩＤ読取装置（図示せず）でＲＦＩＤタグ１０の忘れ物探索支援情報記憶部１０１に格納されている忘れ物探索支援情報を読み取る。これにより、列車ＴＡおよび列車ＴＢに関する忘れ物探索支援情報が表示されるので、駅員は、得られた情報を基に当該の列車（乗客がどちらの列車の忘れ物をしたのかを覚えている場合には、一方の列車、覚えていない場合には、両方の列車）の次の停車駅に探索依頼を行うことが可能になる。
【００４５】
なお、上述した第１の実施の形態では、複数の記憶領域＃１〜＃ｎを有する追記型のＲＦＩＤタグ１０を用いたが、記憶領域が１つしかない上書き型のＲＦＩＤタグを用いるようにしても良い。また、上述した第１の実施の形態では、ＲＦＩＤタグ１０側において、同一の忘れ物探索支援情報が重複して書き込まれないようする処理を行ったが、この処理をＲＦＩＤ書込装置２０側で行うようにしても良い。つまり、ＲＦＩＤ書込装置２０が、近傍に存在するＲＦＩＤタグ１０の各領域＃１〜＃ｎに格納されている忘れ物探索支援情報（忘れ物探索支援情報群）を読み込み、その中に自ＲＦＩＤ書込装置２０の忘れ物探索支援情報情報が存在するか否かを調べる。そして、存在しなかった場合、読み込んだ忘れ物探索支援情報群中の最も古い忘れ物探索支援情報を、自ＲＦＩＤ書込装置２０の忘れ物探索支援情報で置き換え、置き換え処理が済んだ忘れ物探索支援情報群を送信して、上記ＲＦＩＤタグ１０に書き戻す。なお、ＲＦＩＤ書込装置２０側で最も古い忘れ物探索支援情報を認識できるようにするためには、例えば、忘れ物探索支援情報に時刻情報や連番などを含ませるようにすれば良い。
【００４６】
〔第２の実施の形態〕
次に、図７，図８を参照して本発明にかかる忘れ物探索支援システムの第２本実施の形態の概要について説明する。
【００４７】
図７に示すように、忘れ物探索支援システムを利用する乗客７１は、ＲＦＩＤタグに記録されている情報を読み込み、内部に保持しておくことが可能なＲＦＩＤ読取記憶装置７０を所持している。また、乗客７１が利用する列車の各ドアの上部には、図８に示すように、ＲＦＩＤタグ８０が取り付けられている。このＲＦＩＤタグ８０には、それが取り付けられている車両の車両番号，ドア番号などを含む忘れ物探索支援情報が記録されている。
【００４８】
ＲＦＩＤ読取記憶装置７０は、ＲＦＩＤタグに記録されている忘れ物探索支援情報を読み取るための読み取り処理を一定時間（最短乗車時間よりも短い時間であり、例えば、３０秒程度）毎に行っている。そして、乗客７１が、列車に乗車するときにＲＦＩＤタグ８０の近傍を通過すると、それに記録されている忘れ物探索支援情報を読み取り、内部に保持する。
【００４９】
乗客７１は、乗車後、手荷物を、網棚８１、椅子８２或いは床８３に置く。目的地に着くと、乗客８１は列車から降りる。その際、手荷物を置き忘れたとする。乗客７１は、忘れ物をしたことに気付くと、ＲＦＩＤ読取記憶装置７０の表示部（図示せず）に忘れ物探索支援情報を表示させ、この表示された忘れ物探索支援情報に基づいて、駅員に探索依頼を行う。また、ＲＦＩＤ読取記憶装置７０が忘れ物探索支援情報の表示機能を有していない場合は、駅員室や交番に常備されているＲＦＩＤ読取記憶装置の内容表示装置で忘れ物探索支援情報を確認し、探索依頼を行う。以上が本実施の形態の概要である。
【００５０】
以下、本実施の形態について詳細に説明する。
【００５１】
図９は、ＲＦＩＤ読取記憶装置７０の構成例を示すブロック図であり、忘れ物探索支援情報記憶部７０１と、受信手段７０２と、比較手段７０３と、書き込み手段７０４と、書き込み位置保持部７０５と、操作キーなどを含む操作部７０６と、表示制御手段７０７と、ＬＣＤなどの表示部７０８とを備えている。
【００５２】
忘れ物探索支援情報記憶部７０１は、忘れ物探索支援情報を記憶する複数の領域＃１〜＃ｎを有する。書き込み位置保持部７０５には、忘れ物探索支援情報を書き込む領域の領域番号が登録されている。
【００５３】
受信手段７０２は、ＲＦＩＤタグに登録されている忘れ物探索支援情報を読み取るための読取処理を一定時間毎に行い、忘れ物探索支援情報を読み取ることができた場合、読み取った忘れ物探索支援情報を比較手段に渡す機能を有する。
【００５４】
比較手段７０３は、受信手段７０２から渡された忘れ物探索支援情報と、前回忘れ物探索支援情報記憶部７０１に書き込んだ忘れ物探索支援情報とを比較し、比較不一致の場合は、受信手段７０２からの忘れ物探索支援情報を書き込み手段７０４に渡し、比較一致の場合は、受信手段７０２からの忘れ物探索支援情報を破棄する機能を有する。
【００５５】
書き込み手段７０４は、比較手段７０３から渡された忘れ物探索支援情報を、忘れ物探索支援情報記憶部７０１に格納する機能を有する。その際、書き込み位置保持部７０５に保持されている領域番号の領域に忘れ物探索支援情報を書き込む。また、書き込みが完了すると、書き込み位置保持部７０５に保持されている領域番号を＋１する（但し、領域番号が＃ｎの場合は、領域番号を＃１とする）。
【００５６】
表示制御手段７０７は、操作部７０６を介して入力される乗客７１からの表示指示に従って、忘れ物探索支援情報記憶部７０１の各領域に登録されている忘れ物探索支援情報を表示部７０８に表示する機能を有する。
【００５７】
次に、本実施の形態の動作について説明する。
【００５８】
乗客７１が所持しているＲＦＩＤ読取記憶装置７０は、図１０のフローチャートに示すように、ＲＦＩＤタグに登録されている忘れ物探索支援情報の読み出し処理を行う（ステップＳ１０１）。
【００５９】
乗客７１がＲＦＩＤタグ８０の近傍にいる場合には、忘れ物探索支援情報を読み出すことができるが、それ以外の場合は、忘れ物探索支援情報を読み出すことができない。忘れ物探索支援情報を読み出すことができなかった場合は、一定時間が経過するのを待ち、再び、ステップＳ１０１の処理を行う（ステップＳ１０２がＮＯ，ステップＳ１０６がＹＥＳ）。これに対して、忘れ物探索支援情報を読み取ることができた場合は、読み取った忘れ物探索支援情報を比較手段７０３に渡す（ステップＳ１０２がＹＥＳ）。
【００６０】
比較手段７０３は、受信手段７０２から忘れ物探索支援情報が渡されると、それと前回忘れ物探索支援情報記憶部７０１に書き込んだ忘れ物探索支援情報とを比較する（ステップＳ１０３）。
【００６１】
そして、両者が一致する場合（ステップＳ１０４がＹＥＳ）は、一定時間が経過するのを待ち（ステップＳ１０６）、その後、再びステップＳ１０１を行う。これに対して、両者が不一致の場合（ステップＳ１０４がＮＯ）は、書き込み手段７０４に今回受信した忘れ物探索支援情報を渡す。これにより、書き込み手段７０４は、比較手段７０３から渡された忘れ物探索支援情報を、忘れ物探索支援情報記憶部７０１の各領域＃１〜＃ｎの内の、書き込み位置保持部７０５が保持している領域番号（ｊとする）によって示される領域＃ｊに書き込む。また、忘れ物探索支援情報の書き込みが完了すると、書き込み手段７０４は、書き込み位置保持部７０５に保持されている領域番号を更新する（ステップＳ１０５）。以上の処理により、乗客７１が今回乗車した列車に関する忘れ物探索支援情報（車両番号，ドア番号などを含む）が、忘れ物探索支援情報記憶部７０１の領域＃ｊに書き込まれる。
【００６２】
列車を降りた後、忘れ物に気付くと、乗客７１は、操作部７０６から表示指示を入力する。これにより、表示制御手段７０７は、忘れ物探索支援情報記憶部７０１の各領域に格納されている忘れ物探索支援情報を表示部７０８に表示する。その際、格納順が新しいものから順番に、忘れ物探索支援情報を表示するようにしても良い。なお、忘れ物探索支援情報の格納順は、書き込み位置保持部７０５に保持されている領域番号から求めることが可能である。そして、表示された忘れ物探索支援情報に基づいて、駅員に探索依頼を行う。本実施の形態の場合、忘れ物探索支援情報には、列車番号、行き先は含まれていないが、これらは車両番号から求めることが可能であり、駅員は必要に応じて車両番号から列車番号や行き先を求め、忘れ物の探索を行う。
【００６３】
なお、上述した第２の実施の形態では、複数の記憶領域＃１〜＃ｎを有する追記型のＲＦＩＤ読取記憶装置７０を用いたが、記憶領域が１つしかない上書き型のＲＦＩＤ読取記憶装置７０を用いるようにしても良い。
【００６４】
〔第３の実施の形態〕
次に本発明の第３の実施の形態について説明する。本実施の形態は、タクシーに本発明を適用したものである。
【００６５】
図１１に示すように、乗客３１０は、ＲＦＩＤタグ１０（図３参照）を身に付けてタクシー３２０に乗車する。タクシー３２０の車内には、指向性のあるＲＦＩＤ書込装置３３０が具備されている。このＲＦＩＤ書込装置３３０は、一定時間毎に、タクシー会社名，タクシーの車両番号などを含んだ忘れ物探索支援情報を、ＲＦＩＤタグに書き込むために送信している。このため、ＲＦＩＤタグ１０において、前述した処理と同様の処理が行われ、ＲＦＩＤタグ１０内の忘れ物探索支援情報記憶部１０１にタクシー３２０に関する忘れ物探索支援情報が追記される。その後、乗客３１０が忘れ物をしてタクシー３２０から降車する。タクシー運転手３００は、忘れ物に気付いていない。降車後、タクシー３２０の乗客３１０は自分が忘れ物をしたことに気付く。乗客３１０は、読み書き可能なＲＦＩＤタグ１０をもって、交番を訪ねて降車時に忘れ物をしたことを申告する。交番の警官は乗客３１０からＲＦＩＤタグ１０を預かって交番に常備されているＲＦＩＤ読取装置（図示せず）でＲＦＩＤタグ１０の記憶内容を読み取る。そこには正確なタクシー会社名，タクシーの車両番号を含んだ忘れ物探索支援情報が格納されているので、得られた忘れ物探索支援情報を基に警官またはタクシーの乗客３１０はタクシー会社に連絡をしてタクシー車両番号を基に営業所を割り出し、当該の営業所に連絡をする。営業所の無線係員が無線でタクシー運転手３００に忘れ物の有無の確認と保管を依頼する。
【００６６】
なお、上述した第３の実施の形態では、乗客がＲＦＩＤタグを所持し、タクシーの車内にＲＦＩＤ書込装置を取付けるようにしたが、乗客がＲＦＩＤ読取記憶装置を所持（図９参照）し、タクシーの車内に、忘れ物探索支援情報が記録されたＲＦＩＤタグを取付けるようにしても良い。また、第１および第２の実施の形態では列車を、第３の実施の形態ではタクシーを例に挙げて説明したが、バスなどの他の交通機関にも本発明が適用できることは勿論である。また、列車とタクシーの両方に本発明を適用するというように、種別の異なる交通機関に本発明を適用するようにしても良い。この場合には、車両に取り付けられたＲＦＩＤ書込装置から送信する忘れ物探索支援情報を、その交通機関に合ったものしたり、車両に取り付けられるＲＦＩＤタグに記録する忘れ物探索支援情報を、その交通機関に合ったものにすれば良い。
【図面の簡単な説明】
【００６７】
【図１】本発明の第１の実施の形態を説明するための図であり、乗客が所持するＲＦＩＤタグ１０を示した図である。
【図２】本発明の第１の実施の形態を説明するための図であり、列車内に設置するＲＦＩＤ書込装置２０を示した図である。
【図３】ＲＦＩＤタグ１０の構成例を示したブロック図である。
【図４】ＲＦＩＤ書込装置２０の構成例を示すブロック図である。
【図５】ＲＦＩＤ書込装置２０の処理例を示すフローチャートである。
【図６】ＲＦＩＤタグ１０の処理例を示すフローチャートである。
【図７】本発明の第２の実施の形態を説明するための図であり、乗客が所持するＲＦＩＤ読取記憶装置７０を示した図である。
【図８】本発明の第２の実施の形態を説明するための図であり、列車内に取付けるＲＦＩＤタグ８０を示した図である。
【図９】ＲＦＩＤ読取記憶装置７０の構成例を示すブロック図である。
【図１０】ＲＦＩＤ読取記憶装置７０の処理例を示すフローチャートである。
【図１１】本発明の第３の実施の形態を説明するための図である。
【符号の説明】
【００６８】
１０…ＲＦＩＤタグ
１０１…忘れ物探索支援情報記憶部
１０２…受信手段
１０３…比較手段
１０４…書き込み手段
１０５…書き込み位置保持部
１１…乗客
２０…ＲＦＩＤ書込装置
２０１…受信手段
２０２…列車情報記憶部
２０３…車両情報記憶部
２０４…送信手段
２１…網棚
２２…椅子
２３…床
３０…操作部
７０…ＲＦＩＤ読取記憶装置
７０１…忘れ物探索支援情報記憶部
７０２…受信手段
７０３…比較手段
７０４…書き込み手段
７０５…書き込み位置保持部
７０６…操作部
７０７…表示制御手段
７０８…表示部
７１…乗客
８０…ＲＦＩＤタグ
８１…網棚
８２…椅子
８３…床
３００…タクシー運転手
３１０…乗客
３２０…タクシー
３３０…ＲＦＩＤ書込装置
【図１】
2005216048.tif 000003
【図２】
2005216048.tif 000004
【図３】
2005216048.tif 000005
【図４】
2005216048.tif 000006
【図５】
2005216048.tif 000007
【図６】
2005216048.tif 000008
【図７】
2005216048.tif 000009
【図８】
2005216048.tif 000010
【図９】
2005216048.tif 000011
【図１０】
2005216048.tif 000012
【図１１】
2005216048.tif 000013